(57)【要約】【課題】空港での手荷物搬送仕分けのための装置として活用出来る搬送仕分け装置を提供する。【解決手段】搬送方向に並設された複数の傾動コンベヤユニット１０，１１を備え、各傾動コンベヤユニット１０，１１は、水平搬送姿勢と、被搬送物を前記搬送方向に対し横方向へ重力で排出するための傾斜姿勢との間で、前記搬送方向と平行な支軸７の周りで左右揺動可能に架台１６上に支持されている搬送仕分け装置において、前記搬送方向に隣り合う前記傾動コンベヤユニット１０，１１間の隙間を上下方向に通る光線を介して前記傾動コンベヤユニット１０，１１間を通過する被搬送物（トレイＴ）を検出する反射式光電センサー３２，３３が配設され、この光電センサー３２，３３は、前記架台１６に支持され且つ前記支軸７の周囲位置に配設された支持部材３４に取り付けられた構成。【選択図】図８
2019189431.tif 000002
【特許請求の範囲】
【請求項１】
搬送方向に並設された複数の傾動コンベヤユニットを備え、各傾動コンベヤユニットは、水平搬送姿勢と、被搬送物を前記搬送方向に対し横方向へ重力で排出するための傾斜姿勢との間で、前記搬送方向と平行な支軸の周りで左右揺動可能に架台上に支持されている搬送仕分け装置において、
前記搬送方向に隣り合う前記傾動コンベヤユニット間の隙間を上下方向に通る光線を介して前記傾動コンベヤユニット間を通過する被搬送物を検出する反射式光電センサーが配設され、この光電センサーは、前記架台に支持され且つ前記支軸の周囲位置に配設された支持部材に取り付けられている、搬送仕分け装置。
【請求項２】
前記支持部材は、前記支軸を跨ぐ門形板材から構成され、この門形板材の両脚部が、前記支軸の下側に位置するように前記架台上に設置された支持台上に取り付けられている、請求項１に記載の搬送仕分け装置。
【請求項３】
前記支軸は、前記搬送方向に隣り合う前記傾動コンベヤユニット間の位置で軸継ぎ手により接続された接続部を有し、この接続部には、前記軸継ぎ手の両側で各支軸端部を支承する一対の軸受けと、前記架台上に設置され且つ前記一対の軸受けを支持する軸受け支持台が設けられ、この接続部のある前記傾動コンベヤユニット間の位置において配設される前記光電センサーは、前記軸継ぎ手を跨ぐ門形板材から構成された前記支持部材に取り付けられ、当該門形板材の両脚部が前記軸受け支持台上に取り付けられている、請求項１に記載の搬送仕分け装置。
【請求項４】
前記光電センサーは、側面視において前記支軸より上側に配設されている、請求項１〜３の何れか１項に記載の搬送仕分け装置。
【請求項５】
前記光電センサーは、その光線の投射方向が鉛直方向に対して、前記傾動コンベヤユニットの前記傾斜姿勢への傾動方向側に傾斜するように取り付けられ、その傾斜角度は、前記傾動コンベヤユニットが水平姿勢にあるときに当該傾動コンベヤユニット間を乗り移る被搬送物と、前記傾動コンベヤユニットが前記傾斜姿勢にあるときに当該傾動コンベヤユニット間を乗り移る被搬送物の何れもを検出し得る角度に設定されている、請求項１〜４の何れか１項に記載の搬送仕分け装置。
【請求項６】
搬送方向に並設された複数の傾動コンベヤユニットを備え、各傾動コンベヤユニットは、水平搬送姿勢と、被搬送物を前記搬送方向に対し横方向へ重力で排出するための傾斜姿勢との間で、前記搬送方向と平行な支軸の周りで左右揺動可能に架台上に支持されている搬送仕分け装置において、
前記搬送方向に隣り合う前記傾動コンベヤユニット間の隙間を上下方向に通る光線を介して前記傾動コンベヤユニット間を通過する被搬送物を検出する反射式光電センサーが配設され、前記光電センサーは、その光線の投射方向が鉛直方向に対して、前記傾動コンベヤユニットの前記傾斜姿勢への傾動方向側に傾斜するように取り付けられ、その傾斜角度は、前記傾動コンベヤユニットが水平姿勢にあるときに当該傾動コンベヤユニット間を乗り移る被搬送物と、前記傾動コンベヤユニットが前記傾斜姿勢にあるときに当該傾動コンベヤユニット間を乗り移る被搬送物の何れもを検出し得る角度に設定されている、搬送仕分け装置。
【発明の詳細な説明】
【技術分野】
【０００１】
本発明は、被搬送物の搬送経路上に設定された仕分け領域において、被搬送物を横方向へ重力で滑動させて仕分けることの出来る搬送仕分け装置に関するものである。
【背景技術】
【０００２】
上記のような搬送仕分け装置としては、特許文献１に記載されるように、搬送方向に並設された複数の傾動コンベヤユニットを備え、各傾動コンベヤユニットは、水平搬送姿勢と、被搬送物を前記搬送方向に対し横方向へ重力で排出するための傾斜姿勢との間で、前記搬送方向と平行な支軸の周りで左右揺動可能に架台上に支持されている搬送仕分け装置が知られている。
【０００３】
このような搬送仕分け装置において、被搬送物のサイズや形状が一定しないときは、当該被搬送物が載置される一定サイズのトレイを併用し、仕分け時には、このトレイに載置されている被搬送物のみをトレイ上で横方向に滑動落下させ、トレイはそのまま下手側へ搬送させることが行われている。そして仕分け動作は、搬送効率を低下させないために、各傾動コンベヤユニットによるトレイの搬送を継続させたまま、トレイを支持搬送している傾動コンベヤユニットを傾斜させて行うことになる。このように搬送仕分け装置を使用する場合、トレイの搬送ピッチを小さくして搬送効率を高めるために、トレイの長さに対して各傾動コンベヤユニットの搬送方向の長さを十分に短くして、１つのトレイを複数の傾動コンベヤユニットによって支持されるように構成し、被搬送物を載置している傾斜実トレイ支持搬送エリアから下手側に外れた傾動コンベヤユニットは、直ちに元の水平姿勢に復帰させて後続の実トレイの受け入れ態勢（水平姿勢）に戻し、仕分け後、空になったトレイを仕分け動作時の傾斜姿勢のまま支持搬送している傾斜空トレイ支持搬送エリアより上手側の傾動コンベヤユニットは、先行する空トレイ支持搬送エリアから下手側に外れた傾動コンベヤユニットから順次傾斜姿勢に切り換えて、傾斜空トレイ支持搬送エリアに接続させ、当該傾斜空トレイ支持搬送エリアの空になったトレイより上手側に、当該トレイが水平姿勢に復帰するまでに要するトレイ搬送経路長さが確保された時点で、当該傾斜空トレイ支持搬送エリア内の全ての傾動コンベヤユニットを一挙に水平姿勢に復帰させるように制御される。
【先行技術文献】
【特許文献】
【０００４】
【特許文献１】特表２０１５−５０１７７０
【発明の概要】
【発明が解決しようとする課題】
【０００５】
上記のように傾動コンベヤユニットを制御することによって、前記仕分けエリア内でのトレイの搬送速度を傾動コンベヤユニットの傾斜姿勢から水平姿勢への切り換えや、傾動コンベヤユニットの水平姿勢から傾斜姿勢への切り換えは、その姿勢切換え対象の傾動コンベヤユニットとこれに隣接する姿勢切換え対象でない傾動コンベヤユニットとの間に実トレイ又は空トレイが跨るよう位置していないタイミングで行わなければならない。このため、搬送方向に並設された複数の傾動コンベヤユニットから成る仕分けエリア内におけるトレイの現在位置を正確にチェックする必要があるが、このための手段としては、前記仕分けエリア内で搬送されているトレイの位置を各種センサーによって検出する構成が一般的に考えられるが、上記のような構成の搬送仕分け装置における搬送中のトレイの位置検出手段として好適な構成は、当業界において開示されていないのが実情である。
【課題を解決するための手段】
【０００６】
本発明は、上記のような課題の解決に好適な搬送仕分け装置を提案するものであって、本発明に係る搬送仕分け装置は、後述する実施例との関係を理解し易くするために、当該実施例の説明において使用した参照符号を括弧付きで付して示すと、搬送方向に並設された複数の傾動コンベヤユニット(10,11)を備え、各傾動コンベヤユニット(10,11)は、水平搬送姿勢と、被搬送物を前記搬送方向に対し横方向へ重力で排出するための傾斜姿勢との間で、前記搬送方向と平行な支軸(7)の周りで左右揺動可能に架台(16)上に支持されている搬送仕分け装置において、前記搬送方向に隣り合う前記傾動コンベヤユニット(10,11)間の隙間を上下方向に通る光線を介して前記傾動コンベヤユニット(10,11)間を通過する被搬送物（トレイＴ）を検出する反射式光電センサー(32,33)が配設され、この光電センサー(32,33)は、前記架台(16)に支持され且つ前記支軸(7)の周囲位置に配設された支持部材(34,35)に取り付けられた構成になっている。
【発明の効果】
【０００７】
上記本発明の構成によれば、複数の傾動コンベヤユニットを備えた仕分けエリア内で搬送されている被搬送物（例えばトレイ）の位置を、隣接する傾動コンベヤユニット間の各隙間に対応する光電センサーの内、被搬送物検出ＯＮの状態の光電センサーから検出することが出来る。即ち、１つの傾動コンベヤユニットの長さ（搬送方向の巾）を被搬送物の長さよりも短くして、常に１つ又は複数の光電センサーが被搬送物検出ＯＮの状態となるように構成しておけば、被搬送物検出ＯＮの状態の光電センサーの内、搬送方向前端の光電センサー位置から当該光電センサー位置の前方側に隣接する傾動コンベヤユニットの搬送方向巾内に被搬送物の前端があり且つ被搬送物検出ＯＮの状態の光電センサーの内、搬送方向後端の光電センサー位置から当該光電センサー位置の後方側に隣接する傾動コンベヤユニットの搬送方向巾内に被搬送物の後端があることになるから、被搬送物に対して後方側の傾動コンベヤユニットの姿勢切り換えに関しては、被搬送物検出ＯＮの状態の光電センサーの内、搬送方向後端の光電センサーがＯＮからＯＦＦに切り換わった時点で、当該光電センサー位置より搬送方向後方に隣接する傾動コンベヤユニットを直ちに姿勢切り換えすることが出来る。そして、被搬送物に対して前方側の傾動コンベヤユニットの姿勢切り換えに関しては、被搬送物検出ＯＮの状態の光電センサーの内、搬送方向前端の光電センサー位置より前方側の、被搬送物の搬送速度を考慮して設定された複数の傾動コンベヤユニットの姿勢を、被搬送物支持搬送中の傾動コンベヤユニットの姿勢と同一姿勢に維持するように、制御することが出来る。
【０００８】
上記のように、搬送方向に隣り合う前記傾動コンベヤユニット間の隙間に対応して設けられた光電センサーのＯＮ／ＯＦＦ状態から、仕分けエリア内の被搬送物の位置を検出して、各傾動コンベヤユニットの姿勢切換え制御を行うことが出来るのであるが、本発明の構成では、前記光電センサーが、搬送方向に隣り合う前記傾動コンベヤユニット間の隙間を上下方向に通る可視光線や赤外線などを介して前記傾動コンベヤユニット間を通過する被搬送物を検出する反射式光電センサーであって且つ、傾動コンベヤユニットの傾動中心である前記支軸の周囲位置に配設される光電センサーであるから、傾動コンベヤユニットの姿勢が水平姿勢と傾斜姿勢の何れにあっても、当該傾動コンベヤユニット上の被搬送物に対して最も近い位置から当該被搬送物を検出することが出来、しかも被搬送物検出時に、被搬送物の表面の検出結果と被搬送物以外の物体、例えば傾動コンベヤユニットの表面の検出結果とを比較して被搬送物の検出か否かを判定する必要がないので、仕分けエリア内での被搬送物の検出を極めて正確確実に行える。
【０００９】
即ち、反射式光電センサーであるから、投射された光線が被搬送物の底面によって反射し、この反射光線を受信することにより、被搬送物検出ＯＮ状態になるのであるが、水平姿勢にある傾動コンベヤユニット間を通過する被搬送物の底面は水平状態であり、傾斜姿勢にある傾動コンベヤユニット間を通過する被搬送物の底面は傾斜しているので、何れの場合も、一定位置の光電センサーから投射されて被搬送物の底面から反射して戻ってくる光線を当該一定位置の光電センサーで受信出来るように構成しなければならない。このような場合に、光電センサーと被搬送物の底面との間の距離が上記のように短くなる本発明の構成は非常に有利であり、水平姿勢にある傾動コンベヤユニット間を通過する被搬送物検出用の光電センサーと、傾斜姿勢にある傾動コンベヤユニット間を通過する被搬送物検出用の光電センサーの２つを並設しなくとも、そして又、反射光線の受信エリアを特別に広くした特殊な光電センサーを使用しなくとも、一般に流通している光電センサーを利用して簡単容易に実施することが出来る。
【００１０】
上記本発明を実施する場合、前記支持部材(34)は、前記支軸(7)を跨ぐ門形板材(34a)から構成し、この門形板材(34a)の両脚部を、前記支軸(7)の下側に位置するように前記架台(16)上に設置された支持台(36)上に取り付けることが出来る。この構成によれば、光電センサーを前記支軸の周囲任意の場所に取り付けることが出来、しかも門形板材から成る前記支持部材にも十分な強度を持たせることが出来る。又、前記支軸(7)が、前記搬送方向に隣り合う前記傾動コンベヤユニット(10,11)間の位置で軸継ぎ手(18)により接続された接続部を有するものであるときは、この接続部には、前記軸継ぎ手(18)の両側で各支軸(7)端部を支承する一対の軸受け(5,6)と、前記架台(16)上に設置され且つ前記一対の軸受け(5,6)を支持する軸受け支持台(１７ａ)が設けられるので、この接続部のある前記傾動コンベヤユニット(10,11)間の位置において配設される前記光電センサー(32,33)は、前記軸継ぎ手(18)を跨ぐ門形板材(35a)から構成された前記支持部材(35)に取り付け、当該門形板材(35a)の両脚部を前記軸受け支持台(１７ａ)上に取り付けることが出来る。
【００１１】
前記光電センサー(32,33)は、側面視において前記支軸(7)より上側に配設すれば、前記光電センサーと被検出対象の被搬送物の底面との間の距離をさらに短縮出来る。又、前記光電センサー(32,33)は、その光線の投射方向が、鉛直方向に対して前記傾動コンベヤユニット(10,11)の前記傾斜姿勢への傾動方向側に傾斜するように、取り付けることが出来る。この場合、その傾斜角度は、前記傾動コンベヤユニットが水平姿勢にあるときに当該傾動コンベヤユニット間を乗り移る被搬送物と、前記傾動コンベヤユニットが前記傾斜姿勢にあるときに当該傾動コンベヤユニット間を乗り移る被搬送物の何れをも検出し得る角度に設定することになる。具体的は、例えば傾動コンベヤユニットが、前記支軸の軸心を通る鉛直線に対して左（又は右）方向に例えば４５度傾斜する場合、前記光電センサーの光線投射方向が、傾動コンベヤユニットの傾斜角度の半分の２２．５度だけ同一方向に傾斜するように構成すれば、傾動コンベヤユニットが水平姿勢にあるときは、被搬送物の水平底面からの光線反射領域の例えば右端側で反射光線を定位置の光電センサーで受信させ、傾動コンベヤユニットが傾斜姿勢にあるときは、被搬送物の傾斜底面からの光線反射領域の例えば左端側で反射光線を定位置の光電センサーで受信させることが出来る。即ち、被搬送物の底面からの光線反射領域の全域を活用して、傾動コンベヤユニットが水平姿勢と傾斜姿勢の何れにあるときも、傾動コンベヤユニット間を通過する被搬送物を定位置の光電センサーで確実に検出させることが出来る。
【００１２】
尚、仕分けエリアの左右何れ側にも被搬送物を仕分けることが出来るように、傾動コンベヤユニットが左右何れ側にも傾動可能に構成されているときは、左側への傾斜姿勢に対応する光電センサーと右側への傾斜姿勢に対応する光電センサーとを、前記支軸に対して左右振り分け状に並設することが出来る。
【図面の簡単な説明】
【００１３】
【図１】図１Ａは、搬送仕分け装置の一部省略側面図、図１Ｂは、同平面図である。
【図２】図２は、搬送仕分け装置の出口側領域を示す要部の一部縦断側面図である。
【図３】図３は、図２の各傾動コンベヤユニットを取り外した状態を示す平面図である。
【図４】図４は、傾動コンベヤユニットが備える左右一対のベルトコンベヤの駆動系を示す要部の縦断正面図（搬送方向の下手側から見た図）である。
【図５】図５は、傾動コンベヤユニットを傾動させるための駆動系を示す要部の縦断正面図である。
【図６】図６は、搬送仕分け装置の仕分け動作時の状態を説明する正面図である。
【図７】図７は、搬送仕分け装置の左側への仕分け動作時の状態を説明する概略側面図である。
【図８】図８は、被搬送物を積載するトレイの現在位置検出手段を説明する要部の背面図（搬送方向の上手側から見た図）である。
【図９】図９Ａは、傾動コンベヤユニットが水平姿勢にあるときの光電センサーの検出動作状況を説明する要部の背面図、図９Ｂは、傾動コンベヤユニットが傾斜姿勢にあるときの光電センサーの検出動作状況を説明する要部の背面図である。
【図１０】図１０は、傾動コンベヤユニットの姿勢検出手段を説明する要部の背面図である。
【発明を実施するための形態】
【００１４】
図１Ａ及び図１Ｂに示すように、この実施例に示す搬送仕分け装置は、被搬送物を積載したトレイを搬送する搬送経路上に設定された１つの仕分けエリアに配設されたもので、５つの組立体１Ａ〜１Ｅから構成され、入り口側端部の組立体１Ａには搬入用コンベヤ２が接続され、出口側端部の組立体１Ｅには搬出用コンベヤ３が接続されるが、図では、中央の１つの組立体１Ｃが省略されている。
【００１５】
各組立体１Ａ〜１Ｅは同一構造のものであって、図２〜図６に基づいて説明すると、各組立体１Ａ〜１Ｅは、被搬送物の搬送方向一対の軸受け５，６によって両端が自転可能に支持されて、搬送仕分け装置の搬送方向と平行で且つ搬送仕分け装置の左右巾方向の中央位置に水平に位置する支軸７、この支軸７にそれぞれ前後一対の軸受け８ａ，８ｂ及び９ａ，９ｂによって支持された前後一対の傾動コンベヤユニット１０，１１、及び各傾動コンベヤユニット１０，１１を各別に水平搬送姿勢と傾斜姿勢とに切り換える２台の傾動用モーター１２，１３から構成されている。各組立体１Ａ〜１Ｅの前後一対の軸受け５，６の内、搬送仕分け装置の搬送方向両端に位置する軸受け５，６は、それぞれ１つの柱状支持部材１４，１５によって架台１６上に支持され、隣接する２つの組立体間で隣接する２つの軸受け５，６は、共通の柱状支持部材１７上に１つの軸受け支持台１７ａを介して架台１６上に支持されている。
【００１６】
組立体１Ａ〜１Ｅの隣接する２つの組立体間では、支軸７の端部どうしが軸継ぎ手１８によって同心状に連動連結されて、搬送仕分け装置の全長にわたって連続する１本の連動伝動軸１９が構成され、搬送仕分け装置の出口側端部に位置する組立体１Ｅの支軸７の遊端には、当該組立体１Ｅの外側で架台１６に支持された１台のコンベヤ駆動用モーター２０が、上下方向の巻掛け伝動手段２１によって連動連結されている。
【００１７】
各傾動コンベヤユニット１０，１１は同一構造のものであって、平面視が横長矩形の躯体２２、この躯体２２に設けられた左右一対の被搬送物搬送用のベルトコンベヤ２３ａ，２３ｂ、及び躯体２２の左右両端に付設されたサイドガイド２４ａ，２４ｂから構成されている。各ベルトコンベヤ２３ａ，２３ｂは、その前端側で左右横方向に互いに同心状に直列する駆動軸２５ａ，２５ｂを備え、この両駆動軸２５ａ，２５ｂが、躯体２２上に設置された１つの伝動ギヤボックス２６から後方に延出する共通駆動軸２７に連動連結され、この共通駆動軸２７が、巻掛け伝動手段２８を介して前記支軸７に連動連結されている。
【００１８】
上記構成により、搬送仕分け装置の出口側に設置された１台のコンベヤ駆動用モーター２０を稼働させることにより、連動伝動軸１９（各組立体１Ａ〜１Ｅの支軸７）から巻掛け伝動手段２８とギヤボックス２６を介して、全ての組立体１Ａ〜１Ｅの前後一対の傾動コンベヤユニット１０，１１が備える左右一対のベルトコンベヤ２３ａ，２３ｂを、これらベルトコンベヤ２３ａ，２３ｂ上で支持されるトレイＴが搬送仕分け装置の入り口側から出口側へ所定の速度で搬送されるように、回転駆動させることが出来る。このときのトレイＴは、その左右両側辺が各傾動コンベヤユニット１０，１１の左右両側辺に立設されているサイドガイド２４ａ，２４ｂによって搬送経路が規制される。これらサイドガイド２４ａ，２４ｂには、トレイＴの左右両側面に当接転動する前後一対のガイドローラー２９が軸支されている。
【００１９】
組立体１Ａ〜１Ｅが備える前後一対の傾動コンベヤユニット１０，１１は、連動伝動軸１９（各組立体１Ａ〜１Ｅの支軸７）に対し、それぞれ前後一対の軸受け８ａ〜９ｂを介して左右両端部が上下動する方向に傾動可能に支持されているが、この傾動コンベヤユニット１０，１１を、トレイＴを支持搬送する水平搬送姿勢（図４及び図５参照）と、図６に示すように、支軸７の周りに左右何れかの方向に例えば４５度程度傾斜した傾斜姿勢とに切り換えるために、傾動コンベヤユニット１０，１１ごとに傾動用モーター１２，１３が連動連結されている。これら両傾動用モーター１２，１３は、図３に示すように、平面視において支軸７の左右両側で前後互いに逆向きとなるように、それぞれの軸心方向が支軸７と平行になるように架台１６上に設置されている。
【００２０】
更に詳述すれば、各傾動用モーター１２，１３と傾動コンベヤユニット１０，１１との間には、タイミングベルト利用の巻掛け伝動手段３０，３１が介装されている。この巻掛け伝動手段３０，３１は、各傾動用モーター１２，１３の出力軸に取り付けられた伝動側タイミングベルトプーリー３０ａ，３１ａと、支軸７に対して相対回転可能に遊嵌された受動側タイミングベルトプーリー３０ｂ，３１ｂとの間にタイミングベルト３０ｃ，３１ｃを掛張したものであって、前記受動側タイミングベルトプーリー３０ｂ，３１ｂは、傾動コンベヤユニット１０，１１を支軸７に対して傾動可能に支持する前後一対の軸受け８ａ〜９ｂの内、外側に位置する軸受け８ａ，９ｂに固着一体化されており、受動側タイミングベルトプーリー３０ｂ，３１ｂの回転がそのまま傾動コンベヤユニット１０，１１（躯体２２）に伝達されて、当該傾動コンベヤユニット１０，１１が支軸７の周りに傾動するように構成されている。
【００２１】
以上のように構成された搬送仕分け装置の使用方法の一例を説明すると、先に説明したように、各組立体１Ａ〜１Ｅが備える前後一対の傾動コンベヤユニット１０，１１の左右一対のベルトコンベヤ２３ａ，２３ｂは、１台のコンベヤ駆動用モーター２０を稼働させることにより、同一方向に所定の速度で回動する稼働状態となる。
【００２２】
一方、全ての組立体１Ａ〜１Ｅの傾動コンベヤユニット１０，１１は、図５に示すように水平搬送姿勢にある状態で傾動用モーター１２，１３が停止していることにより、当該傾動用モーター１２，１３の機能によって水平搬送姿勢に保持されており、重力で支軸７／連動伝動軸１９の周りに揺動運動することはない。従って、全ての組立体１Ａ〜１Ｅの傾動コンベヤユニット１０，１１が水平搬送姿勢に保持されている状態で、前記のようにコンベヤ駆動用モーター２０を稼働させてベルトコンベヤ２４ａ，２４ｂを所定の搬送方向に連動回転駆動することにより、図１Ａ及び図１Ｂに示す搬入用コンベヤ２から送り込まれた被搬送物積載トレイＴを搬出用コンベヤ３に向かって定速で搬送し、搬出用コンベヤ３上に送り出すことが出来る。
【００２３】
上記のように全ての組立体１Ａ〜１Ｅの傾動コンベヤユニット１０，１１におけるベルトコンベヤ２４ａ，２４ｂを稼働させているトレイ搬送状態において、仕分けのために特定の傾動コンベヤユニット１０，１１を水平搬送姿勢から傾斜姿勢に切り換えるときは、その傾斜姿勢に切り換えるべき傾動コンベヤユニット１０／１１の傾動用モーター１２／１３を稼働させ、巻掛け伝動手段３０／３１を介して目的の傾動コンベヤユニット１０／１１を支軸７（連動伝動軸１９）の周りに所定の方向に傾動させることが出来る。又、傾斜姿勢の傾動コンベヤユニット１０／１１を元の水平搬送姿勢に戻すときは、その傾動コンベヤユニット１０／１１の傾動用モーター１２／１３を、傾動動作時の回転角度だけ逆回転させて、傾動コンベヤユニット１０／１１を傾斜姿勢から元の水平搬送姿勢に戻すことが出来る。
【００２４】
搬入用コンベヤ２から送り込まれたトレイＴの積載被搬送物が、この搬送仕分け装置のある仕分けエリアにおいて仕分ける対象であるときは、図７に示すように、当該トレイＴが搬入用コンベヤ２から一定距離だけ走行して、その全体が複数の傾動コンベヤユニット１０，１１で支持される状態になったとき、当該トレイＴを支持する領域にある複数台の傾動コンベヤユニット１０／１１を水平姿勢から仕分け側へ揺動させて傾斜姿勢に切り換え、支持している走行中のトレイＴを仕分け側へ所要角度だけ傾斜させる。この結果、トレイＴ上の被搬送物Ｗが重力でトレイＴ上を傾斜下方へ滑動して、トレイＴ上から滑り落ちることになる。一般的には、この傾斜姿勢のトレイＴ上から滑り落ちる被搬送物Ｗを受け継いで目的の荷捌き台上に誘導するシュート３７が併設される。仕分け終了後には、トレイＴを支持する領域にある複数台の傾動コンベヤユニット１０／１１を傾斜姿勢から水平姿勢に切り換え、トレイＴが終端の組立体１Ｅの傾動コンベヤユニット１０，１１上に水平姿勢で到達するように各傾動コンベヤユニット１０，１１を制御すれば、仕分け後の空のトレイＴをこの搬送仕分け装置から下手の搬出用コンベヤ３上へ送り出すことが出来る。
【００２５】
上記の仕分け動作のための傾動コンベヤユニット１０，１１の水平姿勢から傾斜姿勢への切換え中と、仕分け終了後の傾動コンベヤユニット１０，１１の傾斜姿勢から水平姿勢への切換え中においても、各傾動コンベヤユニット１０／１１が備えるベルトコンベヤ２３ａ，２３ｂによってトレイＴの搬送は継続されているので、トレイＴが姿勢の異なる傾動コンベヤユニット１０，１１間に跨って支持されることがないように、傾動コンベヤユニット１０，１１のトレイ搬送速度に応じて、常にトレイＴの前方側に、そのときのトレイＴを支持搬送している傾動コンベヤユニット１０，１１と同一の傾斜姿勢の傾動コンベヤユニット１０，１１が所要台数分だけ存在しているように、各傾動コンベヤユニット１０，１１の姿勢制御を行うことになる。これらの傾動コンベヤユニット１０，１１の姿勢切換え制御は、この搬送仕分け装置の傾動コンベヤユニット１０，１１によって搬送されるトレイＴの現在位置に基づいて行われるが、このトレイＴの現在位置の検出のための構成を次に説明する。
【００２６】
図２、図３及び図８に示すように、前後方向に隣り合う傾動コンベヤユニット１０，１１間には、左右一対の光電センサー３２，３３が支持部材３４，３５を介して配設されている。支持部材３４，３５の内、各組立体１Ａ〜１Ｅの前後一対の傾動コンベヤユニット１０，１１間に配設される支持部材３４は、各組立体１Ａ〜１Ｅが備える左右一対の傾動用モーター１２，１３の中間位置で支軸７の下側において、架台１６上に据え付けられた側面視門形の支持台３６上に取り付けられ、隣り合う組立体１Ａ，１Ｂ間、組立体１Ｂ，１Ｃ間、組立体１Ｃ，１Ｄ間、及び組立体１Ｄ，１Ｅ間に位置する支持部材３５は、同じ位置にある軸継ぎ手１８の前後両側の軸受け６，５を支持する前記軸受け支持台１７ａ上に取り付けられている。
【００２７】
支持部材３４は、支軸７に跨る門形板材３４ａから成り、その両脚部下端が前記支持台３６上に取り付けられ、支持部材３５は、軸継ぎ手１８に跨る門形板材３５ａから成り、その両脚部下端が前記軸受け支持台１７ａ上に取り付けられている。又、これら支持部材３４，３５は、図２に示すように、当該支持部材３４，３５の前後両側の傾動コンベヤユニット１０，１１間の隙間の巾方向中心位置よりも、上手側に位置する傾動コンベヤユニット１０，１１に接近した位置に設けられると共に、当該支持部材３４，３５の上手側の側面に光電センサー３２，３３が取り付けられ、前後両傾動コンベヤユニット１０，１１間の隙間内に上手側から進入したトレイＴをいち早く検出出来るように構成している。
【００２８】
光電センサー３２，３３は、投受光部一体型のものであって、投光部から投射された光線が傾動コンベヤユニット１０，１１間の隙間を通過するトレイＴの底面で反射したとき、その反射光線を受光部が受信することにより、被搬送物検出ＯＮ状態になる。これら光電センサー３２，３３は、図２に示すように、側面視において支軸７より上方の位置で支持部材３４，３５に取り付けられている。又、左側の光電センサー３２は、図９に示すように、その光線投射方向の光軸３２ａが、正面視において支軸７の軸心を通る鉛直線７ａに対して左側へ２２．５°だけ傾斜するように取り付けられている。この光軸３２ａの傾斜角度２２．５°は、傾動コンベヤユニット１０，１１の左側傾斜姿勢Ｐ２への傾動角度４５°の半分となっている。右側の光電センサー３３は、図８に示すように、その光軸３３ａが正面視において前記鉛直線７ａに対して右側へ２２．５°だけ傾斜するように、左側の光電センサー３２と左右対称形に取り付けられている。
【００２９】
これら光電センサー３２，３３の光線投射方向の傾斜角度は、次のように設定することが出来る。即ち、左側の光電センサー３２を例にとって説明すると、図９Ａに示すように、傾動コンベヤユニット１０，１１が水平姿勢Ｐ１にあるときは、光電センサー３２の投光部から斜め左上向きに投射された光線がトレイＴの水平底面によって斜め左下向きに反射し、その光線反射領域３２ｂの右端近傍位置に前記光電センサー３２の受光部が位置していて、その反射光線を受信させることが出来、傾動コンベヤユニット１０，１１が左側への傾斜姿勢Ｐ２にあるときは、光電センサー３２の投光部から斜め左上向きに投射された光線がトレイＴの傾斜底面によって斜め右下向きに反射し、その光線反射領域３２ｂの左端近傍位置に前記光電センサー３２の受光部が位置していて、その反射光線を受信させることが出来るように、傾動コンベヤユニット１０，１１（トレイＴ）の傾斜角度、光電センサー３２，３３からの光線投射領域の広がり角度、及び被検出面（トレイＴの底面）と光電センサー３２，３３との間の距離、などに応じて、光電センサー３２，３３の光線投射方向の傾斜角度を設定することになる。
【００３０】
勿論、光電センサー３２は、傾動コンベヤユニット１０，１１が水平姿勢Ｐ１と左傾斜姿勢Ｐ２の何れか又はその間の中間姿勢にあるときに、傾動コンベヤユニット１０，１１間を通過するトレイＴを検出するものであり、光電センサー３３は、傾動コンベヤユニット１０，１１が水平姿勢Ｐ１と右傾斜姿勢Ｐ３の何れか又はその間の中間姿勢にあるときに、傾動コンベヤユニット１０，１１間を通過するトレイＴを検出するものであるから、トレイＴ上の被搬送物の仕分け方向が左右の何れか一方のみであるときは、光電センサー３２，３３の内、仕分け方向とは異なる側の光電センサーは省くことが出来る。又、投受光部一体型の光電センサー３２，３３を示したが、投光部と受光部が分離されていて、各々の設置位置を変えることが出来る投受光部分離型の光電センサーを利用することも出来る。更に、傾動コンベヤユニット１０，１１が水平姿勢にあるときに当該傾動コンベヤユニット１０，１１間を通過する被搬送物を検出する主光電センサーと、傾動コンベヤユニット１０，１１が傾斜姿勢にあるときに当該傾動コンベヤユニット１０，１１間を通過する被搬送物を検出する副光電センサーとを設け、傾動コンベヤユニット１０，１１が水平姿勢と傾斜姿勢との間で傾動しているときは、主光電センサーと副光電センサーの内の少なくとも一方で被搬送物を検出出来るように構成することも可能である。
【００３１】
上記のように光電センサー３２，３３が設けられているときは、被搬送物検出ＯＮ状態にある搬送方向複数個の光電センサー３２，３３の内、搬送方向の前端にある光電センサー３２，３３の位置の前方側に隣接する傾動コンベヤユニット１０／１１上でトレイＴの前端が移動しており、搬送方向の後端にある被搬送物検出ＯＮ状態の光電センサー３２，３３の位置より後方側に隣接する傾動コンベヤユニット１０／１１上でトレイＴの後端が移動している状況であることを判別出来るので、この判別結果に基づいて上記の傾動コンベヤユニット１０，１１の姿勢制御を実行することにより、搬入用コンベヤ２から送り入れられた水平姿勢のトレイＴ上の被搬送物を、トレイＴを所定の方向へ傾動させて仕分ける動作と、仕分け後の空のトレイＴを水平姿勢に戻して搬出用コンベヤ３側へ送り出すことが出来る。
【００３２】
尚、以上のように各傾動コンベヤユニット１０，１１を水平姿勢Ｐ１と傾斜姿勢Ｐ２／Ｐ３との間で姿勢切換えを傾動用モーター１２，１３によって実行させるとき、各傾動コンベヤユニット１０，１１の姿勢が、水平姿勢Ｐ１、左傾斜姿勢Ｐ２、右傾斜姿勢Ｐ３の何れにあるかを検出しなければならない。このための姿勢検出手段の一実施例を、図２、図３、及び図１０に基づいて説明すると、各組立体１Ａ〜１Ｅの前後一対の傾動コンベヤユニット１０，１１間に光電センサー３２，３３を配設するために設けられた側面視門形の支持台３６の前後一対の垂直板部３６ａ，３６ｂに、各４つの検出器３８ａ〜３８ｄが前後外向きに取り付けられ、これら４つの検出器３８ａ〜３８ｄに隣接するように、前記支持台３６の前後一対の垂直板部３６ａ，３６ｂの外側に垂下する被検出板３９が各傾動コンベヤユニット１０，１１の躯体２２に取り付けられている。
【００３３】
各被検出板３９は、支軸７が間を通るように配置された正面視Ｕ字形のものであって、その左右両上端部が傾動コンベヤユニット１０，１１の躯体２２の下側に取り付けられ、傾動コンベヤユニット１０，１１が水平姿勢Ｐ１にあるときに支軸７の真下方向に延出する被検出板部３９ａを備えている。前記４つの検出器３８ａ〜３８ｄの内、検出器３８ａは、傾動コンベヤユニット１０，１１が水平姿勢Ｐ１にあるときに被検出板部３９ａを検出し、検出器３８ｂは、傾動コンベヤユニット１０，１１が左傾斜姿勢Ｐ２（左へ４５°）にあるときに被検出板部３９ａを検出し、検出器３８ｃは、傾動コンベヤユニット１０，１１が右傾斜姿勢Ｐ３（右へ４５°）にあるときに被検出板部３９ａを検出し、検出器３８ｄは、傾動コンベヤユニット１０，１１が左傾斜姿勢（左へ４５°）を５°程度超えた原点姿勢Ｐ４（左へ５０°）にあるときに被検出板部３９ａを検出する。検出器３８ａ〜３８ｄとしては、被検出板部３９ａが金属であるときは、無接触近接スイッチが利用出来、樹脂であっても静電容量型の無接触近接スイッチを利用することが出来る。尚、反射式光電センサーや馬蹄形（溝形）光電センサーや接触式のリミットスイッチなども利用出来る。
【００３４】
上記の姿勢検出手段によれば、検出器３８ａ〜３８ｃの検出信号に基づいて傾動コンベヤユニット１０，１１を傾動させる傾動用モーター１２，１３の制御を行って、傾動用モーター１２，１３を目的の姿勢で自動停止させることが出来る。尚、姿勢切換えのために傾動させた傾動コンベヤユニット１０，１１が左傾斜姿勢Ｐ２（左へ４５°）から右傾斜姿勢Ｐ３（右へ４５°）までの間の傾動範囲内の不特定の位置で異常停止したような場合、その異常停止位置が確認出来なくとも、傾動コンベヤユニット１０，１１を強制的に左方向に傾動させ、原点姿勢Ｐ４（左へ５０°）に達したことを検出器３８ｄが検出したときに傾動コンベヤユニット１０，１１を一旦停止させ、その後、当該傾動コンベヤユニット１０，１１を左傾斜姿勢Ｐ２、水平姿勢Ｐ１、及び右傾斜姿勢Ｐ３の内の任意の姿勢まで強制的に復帰させることが出来る。即ち、傾動コンベヤユニット１０，１１の異常停止事態が発生したとき、その異常停止位置を目視或いは各種センサーで確認しなくも、異常停止した傾動コンベヤユニット１０，１１に対して上記の動作を自動的に行わせることにより、効率良く目的の姿勢に自動復帰させることが出来る。尚、原点姿勢Ｐ４は、右傾斜姿勢Ｐ３を超えた位置に設定しても良いし、左傾斜姿勢Ｐ２又は右傾斜姿勢Ｐ３から原点姿勢Ｐ４までの角度は、上記の５°に限らず、任意の角度に設定出来る。
【００３５】
尚、上記実施例では、傾動コンベヤユニット１０，１１間を通過する被搬送物（トレイＴ）を光電センサー３２，３３によって検出するように構成しているが、制御上必要ならば、搬入用コンベヤ２から始端の組立体１Ａの傾動コンベヤユニット１０上に乗り移る被搬送物の検出や、終端の組立体１Ｅの傾動コンベヤユニット１１から搬出用コンベヤ３上に乗り移る被搬送物の検出も光電センサー３２，３３によって行えるように構成することも出来る。
【００３６】
また、支持部材３４として支軸７に跨る門形板材３４ａを、支持部材３５として軸継ぎ手１８に跨る門形板材３５ａを例示したが、支持台３６に取り付けられた２つの板材に光電センサー３２，３３をそれぞれ取り付けても良く、門型では無く片持ちの板材として光電センサー３２及び３３を取り付ける構成とすることも出来る。
【００３７】
以上に示した実施例では、傾動コンベヤユニットが備える搬送手段（実施例ではベルトコンベヤ２３ａ，２３ｂ）によって搬送される被搬送物が、実際に仕分け対象となる物品を積載するトレイＴとなっているが、本発明に係る搬送仕分け装置は、実際に仕分け対象となる物品そのものを傾動コンベヤユニットの搬送手段によって直接搬送するものであっても良い。而して、本発明に係る搬送仕分け装置は、搬送方向に並設された複数の傾動コンベヤユニットを備え、各傾動コンベヤユニットが、水平姿勢と、被搬送物を前記搬送方向に対し横方向へ重力で排出するための傾斜姿勢との間で、前記搬送方向と平行な支軸の周りで左右揺動可能に架台上に支持されている構成であれば良く、実施例に示した具体構造のものに限定されない。
【産業上の利用可能性】
【００３８】
本発明の搬送仕分け装置は、空港での手荷物搬送仕分けのように、被搬送物を専用の搬送用トレイに積載して搬送すると共に搬送先に応じて自動仕分けしなければならないような被搬送物の搬送仕分け装置として活用出来る。
【符号の説明】
【００３９】
１Ａ〜１Ｅ    組立体
２    搬入用コンベヤ
３    搬出用コンベヤ
７    支軸
８ａ〜９ｂ    軸受け
１０，１１    傾動コンベヤユニット
１２，１３    傾動用モーター
１７    柱状支持部材
１７ａ    軸受け支持台
１８    軸継ぎ手
１９    連動伝動軸
２０    コンベヤ駆動用モーター
２１，２８，３０，３１    巻掛け伝動手段
２２    傾動コンベヤユニットの躯体
２３ａ，２３ｂ    ベルトコンベヤ
２４ａ，２４ｂ    サイドガイド
２６    ギヤボックス
２７    共通駆動軸
３２，３３    光電センサー
３４，３５    支持部材
３４ａ，３５ａ    門形板材
３６    側面視門形の支持台
３６ａ，３６ｂ    垂直板部
３８ａ〜３８ｄ    検出器
３９    被検出板
３９ａ    被検出板部
Ｔ    被搬送物積載用トレイ
Ｗ    被搬送物
【図１】
2019189431.tif 000003
【図２】
2019189431.tif 000004
【図３】
2019189431.tif 000005
【図４】
2019189431.tif 000006
【図５】
2019189431.tif 000007
【図６】
2019189431.tif 000008
【図７】
2019189431.tif 000009
【図８】
2019189431.tif 000010
【図９】
2019189431.tif 000011
【図１０】
2019189431.tif 000012